(57)【要約】記録装置（２）は、記録可能な情報記録媒体（１）にコンテンツデータを記録する。記録装置は、情報記録媒体に予め記録されている情報記録媒体の容量である媒体容量を示す容量情報（１１１ａ）を読み込む読込手段（２１５）と、情報記録媒体に記録されるコンテンツデータを含んでなるコンテンツ領域（３１）、及び読み込まれた容量情報により示される媒体容量に達するように補填されるパディングデータを含んでなるパディング領域（３２）を有するイメージデータ（３０）を生成するイメージデータ生成手段（２２１）と、生成されたイメージデータを情報記録媒体に記録する記録手段（２１１）とを備える。
2008152734.tif 000002
【特許請求の範囲】
【請求項１】
記録可能な情報記録媒体にコンテンツデータを記録する記録装置であって、
前記情報記録媒体に予め記録されている前記情報記録媒体の容量である媒体容量を示す容量情報を読み込む読込手段と、
前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成手段と、
前記生成されたイメージデータを前記情報記録媒体に記録する記録手段と
を備えることを特徴とする記録装置。
【請求項２】
前記記録手段は、更に、当該情報記録媒体における、前記読み込まれた容量情報により示される前記媒体容量の値に相当する位置に、前記記録されるコンテンツデータを管理するための情報である管理情報を記録することを特徴とする請求の範囲第１項に記載の記録装置。
【請求項３】
前記イメージデータ生成手段は、前記読み込まれた容量情報により示される前記媒体容量、及び前記記録されるコンテンツデータの容量であるコンテンツ容量から前記パディング領域の容量であるパディング容量を算出する演算手段を含むことを特徴とする請求の範囲第１項に記載の記録装置。
【請求項４】
前記イメージデータ生成手段は、前記算出されたパディング容量に相当する容量を有するパディングデータを生成するパディングデータ生成手段を含むことを特徴とする請求の範囲第３項に記載の記録装置。
【請求項５】
前記イメージデータ生成手段は、
前記算出されたパディング容量に比して小さい容量のパディングデータである小容量パディングデータを生成するパディングデータ生成手段を含み、
前記生成された小容量パディングデータを、前記算出されたパディング容量に達するまで繰り返し使用する
ことを特徴とする請求の範囲第３項に記載の記録装置。
【請求項６】
前記イメージデータ生成手段は、前記記録手段に対し、前記パディング領域の位置を示す位置情報を送信し、
前記記録手段は、前記パディング領域に含まれるパディングデータを生成すると共に、前記送信された位置情報に従って、前記生成されたパディングデータを前記情報記録媒体に記録する
ことを特徴とする請求の範囲第１項に記載の記録装置。
【請求項７】
前記イメージデータ生成手段は、前記パディング領域に含まれるパディングデータを所定のファイルとして生成するパディングファイル生成手段を含むことを特徴とする請求の範囲第１項に記載の記録装置。
【請求項８】
前記読み込まれた容量情報により示される前記媒体容量が、前記情報記録媒体の物理的な大きさに比して小さいことを特徴とする請求の範囲第１項に記載の記録装置。
【請求項９】
記録可能な情報記録媒体にコンテンツデータを記録する記録装置であって、
前記情報記録媒体に予め記録されている前記情報記録媒体の容量である媒体容量を示す容量情報を読み込む読込手段と、
前記読み込まれた容量情報により示される前記媒体容量より所定容量少ないコンテンツ領域を予約する予約手段と、
前記予約されたコンテンツ領域に前記情報記録媒体に記録されるコンテンツデータを記録すると共に、前記予約されたコンテンツ領域を補填するようにパディングデータを記録する記録手段と
を備えることを特徴とする記録装置。
【請求項１０】
ネットワークに収容されるサーバ装置及び記録装置、並びに該記録装置にセット可能であると共に記録可能な情報記録媒体を備えるコンテンツ配信システムであって、
前記情報記録媒体には、該情報記録媒体の容量である媒体容量を示す容量情報が記録されており、
前記記録装置は、前記情報記録媒体がセットされると、前記記録されている容量情報を前記サーバ装置に送信し、
前記サーバ装置は、前記情報記録媒体に記録されるコンテンツデータを含んでなるコンテンツ領域、及び前記送信された容量情報により示される前記媒体容量に達するように補填されるパディングデータを含んでなるパディング領域を有するイメージデータを生成して、前記記録装置に配信し、
前記記録装置は、前記配信されたイメージデータを前記情報記録媒体に記録する
ことを特徴とするコンテンツ配信システム。
【請求項１１】
記録可能な情報記録媒体にコンテンツデータを記録する記録方法であって、
前記情報記録媒体に予め記録されている前記情報記録媒体の容量である媒体容量を示す容量情報を読み込む読込工程と、
前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成工程と、
前記生成されたイメージデータを前記情報記録媒体に記録する記録工程と
を備えることを特徴とする記録方法。
【請求項１２】
記録可能な情報記録媒体にコンテンツデータを記録する記録方法であって、
前記情報記録媒体に予め記録されている前記情報記録媒体の容量である媒体容量を示す容量情報を読み込む読込工程と、
前記読み込まれた容量情報により示される前記媒体容量より所定容量少ないコンテンツ領域を予約する予約工程と、
前記予約されたコンテンツ領域に前記情報記録媒体に記録されるコンテンツデータを記録すると共に、前記予約されたコンテンツ領域を補填するようにパディングデータを記録する記録工程と
を備えることを特徴とする記録方法。
【発明の詳細な説明】
【技術分野】
【０００１】
本発明は、例えば、インターネット等のネットワークを介して配信されるコンテンツデータを、情報記録媒体に記録する記録装置及び方法、並びにコンテンツ配信システムの技術分野に関する。
【背景技術】
【０００２】
この種の記録装置では、該記録装置において記録された情報記録媒体の汎用性が図られる。例えば、特許文献１には、ＤＶＤ−ＲＷ（ＤＶＤ−Ｒｅｒｅｃｏｒｄａｂｌｅ  Ｄｉｓｃ）に記録される暗号化情報を用いて暗号化された記録情報を、ネットワークを介して取得して、該取得された記録情報をＤＶＤ−ＲＷに記録することによって、情報記録媒体に予め記録されている暗号化情報を用いて記録情報を再生する再生装置において、当該ＤＶＤ−ＲＷを再生可能とする技術が記載されている。【０００３】
【特許文献１】特開２００１−３０７４２７号公報
【発明の開示】
【発明が解決しようとする課題】
【０００４】
しかしながら、上述の背景技術によれば、ＤＶＤ−ＲＷのフォーマット構成については開示されていない。すると、記録装置において記録された情報記録媒体を、例えばＤＶＤ−ＲＯＭ（ＤＶＤ−Ｒｅａｄ  Ｏｎｌｙ  Ｍｅｍｏｒｙ）等の再生専用の情報記録媒体にのみ対応している再生装置において、再生できない可能性があるという技術的問題点がある。【０００５】
通常、再生専用の情報記録媒体の一例としてのＤＶＤ−ＲＯＭでは、ＣＤＺ（Ｃｏｎｔｒｏｌ  Ｄａｔａ  Ｚｏｎｅ）に記録された記録情報の最終セクタアドレスが記録されている。一方、記録可能な情報記録媒体の一例としてのＤＶＤ−Ｒ（ＤＶＤ−Ｒｅｃｏｒｄａｂｌｅ）には、ＣＤＺの他に、ファイナライズをする際に実際に記録した記録情報の最終セクタアドレスを記録するＲＰＦＩＺ（Ｒ−Ｐｈｙｓｉｃａｌ  Ｆｏｒｍａｔ  Ｉｎｆｏｒｍａｔｉｏｎ  Ｚｏｎｅ）が設けられている。【０００６】
ＤＶＤ−ＲＯＭを再生する際には、ＣＤＺから最終セクタアドレスが取得される。一方、ＤＶＤ−Ｒを再生する際には、ＲＰＦＩＺから最終セクタアドレスが取得される。再生装置は、取得された最終セクタアドレスに記録されているＡＶＤＰ（Ａｎｃｈｏｒ  Ｖｏｌｕｍｅ  Ｄｅｓｃｒｉｐｔｏｒ  Ｐｏｉｎｔｅｒ）を読み取り、ＤＶＤ−ＲＯＭ又はＤＶＤ−Ｒに記録された記録情報の実データにアクセスする。【０００７】
しかしながら、記録可能な情報記録媒体に、再生専用の情報記録媒体と同様のフォーマット構成になるように、記録情報を記録すると、例えばＲＰＦＩＺを設けることができないため、記録された記録情報の容量を当該情報記録媒体に記録することができず、例えばＡＶＤＰ等の、当該情報記録媒体を再生する際に重要な情報を取得することができずに規格違反となる可能性があるという技術的問題点がある。【０００８】
尚、「ＡＶＤＰ」とは、ＵＤＦ（Ｕｎｉｖｅｒｓａｌ  Ｄｉｓｋ  Ｆｏｒｍａｔ）の管理情報を探すためのエントリポイントに相当し、通常２５６セクタ目と、Ｎセクタ目（ここで、「Ｎ」は最大論理セクタ番号）或いはＮ−２５６セクタ目とに記録され、実データにアクセスする際に参照される情報である。【０００９】
本発明は、例えば上記問題点に鑑みてなされたものであり、記録装置において記録された情報記録媒体の汎用性を向上させると共に、所定の規格に準拠させることができる記録装置及び方法、並びにコンテンツ配信システムを提供することを課題とする。
【課題を解決するための手段】
【００１０】
本発明の第１の記録装置は、上記課題を解決するために、記録可能な情報記録媒体にコンテンツデータを記録する記録装置であって、前記情報記録媒体に予め記録されている前記情報記録媒体の容量である媒体容量を示す容量情報を読み込む読込手段と、前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成手段と、前記生成されたイメージデータを前記情報記録媒体に記録する記録手段とを備える。【００１１】
本発明の第１の記録装置によれば、例えばＤＶＤドライブ等の光学式のドライブモジュールを有するパーソナルコンピュータである当該記録装置は、例えばＤＶＤ−Ｒである記録可能な情報記録媒体にコンテンツデータを記録する。ここに、本発明に係る「コンテンツデータ」とは、典型的には、例えば映画、ドラマ、アニメ等の視覚的な、即ち、画像情報或いは映像情報を伴うコンテンツデータを意味するが、例えば楽曲等の聴覚的な、即ち、音声情報のみを伴うコンテンツデータを含んでいてもよい。【００１２】
尚、情報記録媒体に記録されるコンテンツデータは、典型的には、例えばダウンロード販売（Ｅｌｅｃｔｒｉｃ  Ｓｅｌｌ  Ｔｈｒｏｕｇｈ：ＥＳＴ）のように、インターネット等のネットワークを介して配信されるが、例えば衛星デジタル放送や地上デジタルテレビジョン放送のように、デジタル方式により放送されてもよい。【００１３】
情報記録媒体には、当該情報記録媒体の容量である媒体容量を示す容量情報（典型的には、当該情報記録媒体におけるデータエリアの最後を示すセクタアドレス、即ち、最終セクタアドレス）が予め記録されている。記録装置のドライブモジュールにおける読込手段は、情報記録媒体から容量情報を読み込む。【００１４】
ホストコンピュータにおけるイメージデータ生成手段は、情報記録媒体に記録されるコンテンツデータを含んでなるコンテンツ領域、及び読み込まれた容量情報により示される媒体容量に達するように補填されるパディングデータを含んでなるパディング領域を有するイメージデータを生成する。ここに、「媒体容量に達するように」とは、コンテンツデータの容量、例えばＡＶＤＰ等の所定のデータの容量及びパディングデータの容量の合計が媒体容量に達するようにという意味である。【００１５】
本発明に係る「パディングデータ」とは、ある容量のデータを構成する際に、データ容量が不足する場合に補填されるデータであり、例えばオールゼロのデータである。また、本発明に係る「イメージデータ」のフォーマット構成は、再生専用の情報記録媒体と同様のフォーマット構成である。【００１６】
尚、イメージデータにおけるパディング領域の後に、即ち、情報記録媒体におけるデータエリアの最終セクタアドレスに該当する位置に、例えばＡＶＤＰ等の所定のデータが配置されている。【００１７】
イメージデータ生成手段は、イメージデータを生成する際に、コンテンツデータをオーサリングする。尚、コンテンツデータは、例えばＣＳＳ（Ｃｏｎｔｅｎｔ  Ｓｃｒａｍｂｌｅ  Ｓｙｓｔｅｍ）等の所定の方式により暗号化される。【００１８】
一方、イメージデータ生成手段は、イメージデータを生成する際に、パディング領域に含まれるパディングデータを生成してもよいし、パディングデータは生成せずに、パディング領域の開始位置（即ち、開始セクタアドレス）及び終了位置（即ち、終了セクタアドレス）のみを、或いはパディング領域の開始位置及びパディング領域の容量のみを決定してもよい。【００１９】
イメージデータ生成手段がパディングデータを生成する場合、読み込まれた容量情報により示される媒体容量から、情報記録媒体に記録されるコンテンツデータの容量であるコンテンツ容量、及び例えばＡＶＤＰ等の所定のデータの容量を引いたパディング領域の容量であるパディング容量を算出する。そして、イメージデータ生成手段は、該算出されたパディング容量に相当する容量を有するパディングデータを作成する、又は、算出されたパディング容量に比して小さい容量の小容量パディングデータを作成する。【００２０】
尚、小容量パディングデータの容量は、典型的には、記録装置におけるホストコンピュータ及びドライブモジュール間において、１回に送信可能なデータの容量以下である。【００２１】
ドライブモジュールにおける記録手段は、生成されたイメージデータを情報記録媒体に記録する。尚、イメージデータを記録する際には、典型的には、生成されたイメージデータが、ホストコンピュータからドライブモジュールへ１回に送信可能なデータの容量（例えば２ＥＣＣブロック）の複数のデータに分割される。そして、記録手段は、分割されたデータの受信、及び該受信されたデータの情報記録媒体への記録を繰り返し行う。【００２２】
イメージデータ生成手段が小容量パディングデータを生成した場合であって、記録手段が情報記録媒体に生成されたイメージデータにおけるパディング領域を記録する際に、ホストコンピュータはドライブモジュールに対し、生成された小容量パディングデータをパディング容量に達するまで繰り返し送信する。【００２３】
また、イメージデータ生成手段がパディングデータを生成しない場合であって、記録手段が情報記録媒体にイメージデータにおけるパディング領域を記録する際に、ホストコンピュータはドライブモジュールに対し、例えば、記録手段がパディングデータを生成して記録するようなコマンド等を送信する。記録手段は、送信されたコマンド等に従って、パディングデータを生成して、該生成されたパディングデータを情報記録媒体に記録する。尚、送信されたコマンド等には、パディングデータの記録を開始するセクタアドレス及び容量を示す情報が含まれている。【００２４】
本願発明者の研究によれば、一般に、再生専用の情報記録媒体の一例としてのＤＶＤ−ＲＯＭのリードインエリアにおけるＣＤＺには、当該ＤＶＤ−ＲＯＭに記録されているコンテンツデータ等のデータの最終セクタアドレスが記録されている。ＤＶＤ−ＲＯＭが再生される際に、再生装置は、先ず、ＣＤＺに記録されている最終セクタアドレスに従ってＡＶＤＰを取得する。【００２５】
他方、記録可能な情報記録媒体の一例としてのＤＶＤ−ＲのリードインエリアにおけるＣＤＺには、当該ＤＶＤ−Ｒの媒体容量が記録されており、ＲＰＦＩＺには、当該ＤＶＤ−Ｒに記録されているデータの最終セクタアドレスが記録されている。ＤＶＤ−Ｒが再生される際に、再生装置は、先ず、ＲＰＦＩＺに記録されている最終セクタアドレスに従ってＡＶＤＰを取得する。【００２６】
仮に、ＤＶＤ−Ｒのフォーマット構成を、ＤＶＤ−ＲＯＭと同様のフォーマット構成にすると（例えば、ＲＰＦＩＺを設けないと）、再生装置は、ＣＤＺに記録されているＤＶＤ−Ｒの媒体容量に従ってＡＶＤＰを取得しようとする。しかしながら、ＤＶＤ−Ｒに記録されるデータの容量は様々であるため、再生装置が、記録されたデータの最後に配置されるＡＶＤＰを取得できない可能性がある。或いは、ＤＶＤ−Ｒに対しベリファイを行った際に、ＡＶＤＰを検出することができず規格違反となる可能性があることが判明している。【００２７】
しかるに本発明では、イメージデータ生成手段によって、情報記録媒体に記録されるコンテンツデータを含んでなるコンテンツ領域、及び読み込まれた容量情報により示される媒体容量に達するように補填されるパディングデータを含んでなるパディング領域を有するイメージデータが生成される。このため、情報記録媒体に記録されるコンテンツデータ等のデータの容量と、読み込まれた容量情報により示される媒体容量とが等しくなる。【００２８】
従って、情報記録媒体のフォーマット構成を、再生専用の情報記録媒体と同様のフォーマット構成にしたとしても、再生装置が、情報記録媒体に記録されている媒体容量を示す容量情報に従って、例えばＡＶＤＰを取得することができる。【００２９】
以上の結果、本発明の第１の記録装置によれば、記録された情報記録媒体の汎用性を向上させると共に、所定の規格に準拠させることができる。【００３０】
本発明の第１の記録装置の一態様では、前記記録手段は、更に、当該情報記録媒体における、前記読み込まれた容量情報により示される前記媒体容量の値に相当する位置に、前記記録されるコンテンツデータを管理するための情報である管理情報を記録する。【００３１】
この態様によれば、記録手段は、当該情報記録媒体における、読み込まれた容量情報により示される媒体容量の値に相当する位置に、例えばＡＶＤＰである、記録されるコンテンツデータを管理するための情報である管理情報を記録する。【００３２】
尚、当該情報記録媒体では上述の如く、「媒体容量を示す容量情報」が、典型的には、当該情報記録媒体におけるデータエリアの最後を示すセクタアドレスとして記録されている。従って、「当該情報記録媒体における、前記読み込まれた容量情報により示される前記媒体容量の値に相当する位置」とは、当該情報記録媒体におけるデータエリアの最後のセクタを意味する。【００３３】
本発明の第１の記録装置の他の態様では、前記イメージデータ生成手段は、前記読み込まれた容量情報により示される前記媒体容量、及び前記記録されるコンテンツデータの容量であるコンテンツ容量から前記パディング領域の容量であるパディング容量を算出する演算手段を含む。【００３４】
この態様によれば、演算手段は、読み込まれた容量情報により示される媒体容量、及び記録されるコンテンツデータの容量であるコンテンツ容量から、パディング領域の容量であるパディング容量を算出する。これにより、比較的容易にして、パディング容量を算出することができる。【００３５】
この演算手段に係る態様では、前記イメージデータ生成手段は、前記算出されたパディング容量に相当する容量を有するパディングデータを生成するパディングデータ生成手段を含んでもよい。【００３６】
このように構成すれば、パディングデータ生成手段によって、算出されたパディング容量に相当する容量を有するパディングデータが生成される。【００３７】
この演算手段に係る態様では、前記イメージデータ生成手段は、前記算出されたパディング容量に比して小さい容量の小容量パディングデータを生成するパディングデータ生成手段を含み、前記生成された小容量パディングデータを、前記算出されたパディング容量に達するまで繰り返し使用してもよい。【００３８】
このように構成すれば、イメージデータが生成される際に、パディングデータが生成されることによって、例えばハードディスクドライブ等の格納手段の容量が消費されることを抑制することができ、実用上非常に有利である。【００３９】
ここに、「繰り返し使用する」とは、記録手段が情報記録媒体にイメージデータにおけるパディング領域を記録する際に、同一の生成された小容量パディングデータを繰り返し送信することを意味する。【００４０】
本発明の第１の記録装置の他の態様では、前記イメージデータ生成手段は、前記記録手段に対し、前記パディング領域の位置を示す位置情報を送信し、前記記録手段は、前記パディング領域に含まれるパディングデータを生成すると共に、前記送信された位置情報に従って、前記生成されたパディングデータを前記情報記録媒体に記録する。【００４１】
この態様によれば、イメージデータが生成される際に、パディングデータが生成されないので、パディングデータによって格納手段の容量が消費されることを回避することができ、実用上非常に有利である。【００４２】
本発明の第１の記録装置の他の態様では、前記イメージデータ生成手段は、前記パディング領域に含まれるパディングデータを所定のファイルとして生成するパディングファイル生成手段を含む。【００４３】
この態様によれば、パディングファイル生成手段は、パディング領域に含まれるパディングデータを所定のファイルとして生成する。ここに、「所定のファイル」は、無意味なファイルであってもよいし、例えば「Ｒｅａｄ  ｍｅ」のようなユーザに有用な情報を提供するファイルであってもよい。また、生成されるファイルは、一つに限らず複数生成されてもよい。【００４４】
尚、生成されたファイルは、典型的には、少なくともコンテンツデータが格納されているフォルダ（例えば、ＶＩＤＥＯ＿ＴＳフォルダ）には格納されない。【００４５】
本発明の第１の記録装置の他の態様では、前記読み込まれた容量情報により示される媒体容量が、前記情報記録媒体の物理的な大きさに比して小さい。【００４６】
この態様によれば、情報記録媒体に記録されている容量情報により示される媒体容量が、当該情報記録媒体の物理的な大きさに比して小さい。ここに、「情報記録媒体の物理的な大きさに比して小さい」とは、情報記録媒体の物理的な大きさから推定される媒体容量に比して、即ち、情報記録媒体の面積に面記録密度を乗じた値に比して小さいという意味である。具体的には例えば、物理的な大きさに基づくと４．７ＧＢ（ギガバイト）記録可能な情報記録媒体に、３ＧＢ等の媒体容量を示す容量情報が記録されている。【００４７】
これにより、物理的な大きさに基づくと４．７ＧＢ記録可能な情報記録媒体に、例えば２ＧＢのコンテンツデータを記録する際に、残り２．７ＧＢものパディングデータを記録する必要が無くなり、記録完了までの時間を短縮することでき、実用上非常に有利である。加えて、ドライブモジュールが長時間使用されることによって故障する可能性を低減することができ、実用上非常に有利である。【００４８】
本発明の第２の記録装置は、上記課題を解決するために、記録可能な情報記録媒体にコンテンツデータを記録する記録装置であって、前記情報記録媒体に予め記録されている前記情報記録媒体の容量である媒体容量を示す容量情報を読み込む読込手段と、前記読み込まれた容量情報により示される前記媒体容量より所定容量少ないコンテンツ領域を予約する予約手段と、前記予約されたコンテンツ領域に前記情報記録媒体に記録されるコンテンツデータを記録すると共に、前記予約されたコンテンツ領域を補填するようにパディングデータを記録する記録手段とを備える。【００４９】
ドライブモジュールにおける読込手段は、記録可能な情報記録媒体に予め記録されている媒体容量を示す容量情報を読み込む。ホストコンピュータにおける予約手段は、読み込まれた容量媒体により示される媒体容量より所定容量だけ少ないコンテンツ領域を予約する。ここに、本発明に係る「所定容量」とは、例えばＡＶＤＰ等の所定のデータの容量と、書き込みを停止又は再開した場合に挿入されるリンクブロックの容量との合計である。尚、リンクブロックの容量は、ゼロリンク方式である場合はゼロである。【００５０】
ドライブモジュールにおける記録手段は、予約されたコンテンツ領域に、情報記録媒体に記録されるコンテンツデータを記録すると共に、予約されたコンテンツ領域を補填するようにパディングデータを記録する。【００５１】
本発明の第２の記録装置における記録手段は、「インクリメンタル記録（Ｉｎｃｒｅｍｅｎｔａｌ  Ｒｅｃｏｒｄｉｎｇ）」を使用して、コンテンツデータ等を情報記録媒体に記録する。従って、記録されるコンテンツデータの容量が、予約されたコンテンツ領域の容量であるコンテンツ容量に達しない場合、記録手段は、コンテンツ容量に達するように、自動的に、パディングデータを生成してコンテンツ領域を補填する。【００５２】
記録手段は、コンテンツデータ及びパディングデータを記録した後に、ゼロリンク方式である場合にはコンテンツ領域の直後に、即ち、情報記録媒体におけるデータエリアの最後のセクタに、例えばＡＶＤＰ等の所定のデータを記録する。一方、例えば２ｋリンク方式や３２ｋリンク方式等である場合にはコンテンツ領域の後に、所定のリンクブロックを挿入し、該挿入された所定のリンクブロックの後に、例えばＡＶＤＰ等の所定のデータを記録する。この場合にも、例えばＡＶＤＰ等の所定のデータは、情報記録媒体におけるデータエリアの最後のセクタに記録される。【００５３】
尚、本発明の第２の記録装置では、インクリメンタル記録を使用してコンテンツデータ等を情報記録媒体に記録しているが、記録された情報記録媒体のフォーマット構成が、再生専用の情報記録媒体のフォーマット構成と同様となるように記録している。【００５４】
以上の結果、本発明の第２の記録装置によれば、記録された情報記録媒体の汎用性を向上させると共に、所定の規格に準拠させることができる。【００５５】
加えて、記録手段が自動的にパディングデータを記録している間は、記録装置におけるホストコンピュータの負荷を低減することができ、実用上非常に有利である。【００５６】
本発明のコンテンツ配信システムは、上記課題を解決するために、ネットワークに収容されるサーバ装置及び記録装置、並びに該記録装置にセット可能であると共に記録可能な情報記録媒体を備えるコンテンツ配信システムであって、前記情報記録媒体には、該情報記録媒体の容量である媒体容量を示す容量情報が記録されており、前記記録装置は、前記情報記録媒体がセットされると、前記記録されている容量情報を前記サーバ装置に送信し、前記サーバ装置は、前記情報記録媒体に記録されるコンテンツデータを含んでなるコンテンツ領域、及び前記送信された容量情報により示される前記媒体容量に達するように補填されるパディングデータを含んでなるパディング領域を有するイメージデータを生成して、前記記録装置に配信し、前記記録装置は、前記配信されたイメージデータを前記情報記録媒体に記録する。【００５７】
本発明のコンテンツ配信システムによれば、例えばインターネット等であるネットワークには、例えば映画やドラマ等のコンテンツデータを配信するためのサーバ装置と、例えばＤＶＤドライブ等の光学式のドライブモジュールを有するパーソナルコンピュータ等である記録装置とが収容されている。そして、記録装置には、例えばＤＶＤ−Ｒ等の記録可能な情報記録媒体がセット可能である。情報記録媒体には、当該情報記録媒体の容量である媒体容量を示す容量情報が予め記録されている。【００５８】
情報記録媒体に、コンテンツデータが記録される際に、記録装置は、情報記録媒体が当該記録装置にセットされたことを条件に、情報記録媒体に記録されている媒体容量を示す容量情報を読み込み、該読み込まれた容量情報を、ネットワークを介してサーバ装置に送信する。【００５９】
サーバ装置は、情報記録媒体に記録されるコンテンツデータを含んでなるコンテンツ領域、及び送信された容量情報により示される媒体容量に達するように補填されるパディングデータを含んでなるパディング領域を有するイメージデータを生成する。【００６０】
尚、生成されるイメージデータのフォーマット構成は、再生専用の情報記録媒体のフォーマット構成と同様である。また、生成されたイメージデータの最後、即ち、情報記録媒体におけるデータエリアの最終セクタアドレスに該当する位置には、例えばＡＶＤＰ等の所定のデータが配置されている。【００６１】
次に、サーバ装置は、生成されたイメージデータを、ネットワークを介して記録装置に配信する。記録装置は、配信されたイメージデータを情報記録媒体に記録する。【００６２】
以上の結果、本発明のコンテンツ配信システムによれば、記録された情報記録媒体の汎用性を向上させると共に、所定の規格に準拠させることができる。【００６３】
加えて、サーバ装置によってイメージデータが生成されるので、記録装置の負荷を低減させることができ、実用上非常に有利である。【００６４】
本発明の第１の記録方法は、上記課題を解決するために、記録可能な情報記録媒体にコンテンツデータを記録する記録方法であって、前記情報記録媒体に予め記録されている前記情報記録媒体の容量である媒体容量を示す容量情報を読み込む読込工程と、前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成工程と、前記生成されたイメージデータを前記情報記録媒体に記録する記録工程とを備える。【００６５】
本発明の第１の記録方法によれば、上述した本発明の第１の記録装置と同様に、記録された情報記録媒体の汎用性を向上させると共に、所定の規格に準拠させることができる。【００６６】
尚、本発明の第１の記録方法においても、上述した本発明の第１の記録装置における各種態様と同様の各種態様を採ることが可能である。【００６７】
本発明の第２の記録方法は、上記課題を解決するために、記録可能な情報記録媒体にコンテンツデータを記録する記録方法であって、前記情報記録媒体に予め記録されている前記情報記録媒体の容量である媒体容量を示す容量情報を読み込む読込工程と、前記読み込まれた容量情報により示される前記媒体容量より所定容量少ないコンテンツ領域を予約する予約工程と、前記予約されたコンテンツ領域に前記情報記録媒体に記録されるコンテンツデータを記録すると共に、前記予約されたコンテンツ領域を補填するようにパディングデータを記録する記録工程とを備える。【００６８】
本発明の第２の記録方法によれば、上述した本発明の第２の記録装置と同様に、記録された情報記録媒体の汎用性を向上させると共に、所定の規格に準拠させることができる。【００６９】
尚、本発明の第２の記録方法においても、上述した本発明の第２の記録装置における各種態様と同様の各種態様を採ることが可能である。【００７０】
本発明の作用及び他の利得は次に説明する実施するための最良の形態から明らかにされよう。
【図面の簡単な説明】
【００７１】
【図１】第１実施形態に係る光ディスクの基本構造を示し、上側部分は複数エリアを有する光ディスクの概略平面図であり、下側部分はその径方向におけるエリア構造の図式的概念図である。
【図２】第１実施形態に係るＣＤＺに予め記録されている情報の一例を示す説明図である。
【図３】第１実施形態に係る記録装置の構成を示すブロック図である。
【図４】第１実施形態に係る記録装置における記録処理を示すタイミングチャートである。
【図５】第１実施形態に係るイメージデータのデータ構造を示す図式的概念図である。
【図６】第２実施形態に係る記録装置における記録処理を示すタイミングチャートである。
【図７】第３実施形態に係る記録装置における記録処理を示すタイミングチャートである。
【図８】第４実施形態に係る記録装置における記録処理を示すタイミングチャートである。
【図９】第４実施形態に係るイメージデータのファイル構造を示す図式的概念図である。
【図１０】第５実施形態に係る記録装置における記録処理を示すタイミングチャートである。
【図１１】第５実施形態に係る予約されたコンテンツエリアを示す図式的概念図である。
【図１２】第５実施形態に係るコンテンツデータ記録終了後の予約されたコンテンツエリアを示す図式的概念図である。
【図１３】本発明の実施形態に係るコンテンツ配信システムの構成を示す模式図である。
【図１４】本発明の実施形態に係るサーバ装置の構成を示すブロック図である。
【図１５】本発明の実施形態に係るコンテンツ配信システムの動作を示すタイミングチャートである。
【符号の説明】
【００７２】
１  光ディスク
２  記録装置
３  サーバ装置
４  ネットワーク
１１  リードインエリア
１２  データエリア
１３  リードアウトエリア
１４  センターホール
２１  ドライブモジュール
２２  ホストコンピュータ
【発明を実施するための最良の形態】
【００７３】
以下、本発明の記録装置に係る実施形態を図面に基づいて説明する。【００７４】
＜第１実施形態＞
本発明の記録装置に係る第１実施形態を、図１乃至図５を参照して説明する。【００７５】
（光ディスク）
先ず、図１を参照して、本実施形態に係る記録装置によって、コンテンツデータ等が記録される、本発明に係る「情報記録媒体」の一例としての光ディスクについて説明する。図１は、本実施形態に係る光ディスクの基本構造を示し、上側部分は複数エリアを有する光ディスクの概略平面図であり、下側部分はその径方向におけるエリア構造の図式的概念図である。【００７６】
図１に示すように、例えばＤＶＤ−Ｒである光ディスク１は、該光ディスク１本体上の記録面に、センターホール１４を中心として内周から外周に向けて、リードインエリア１１、データエリア１２及びリードアウトエリア１３が設けられている。リードインエリア１１には、ＣＤＺ１１１が設けられている。尚、リードインエリア１１には、更に、ディスクキーが記録されている。【００７７】
ここで、図２を参照して、ＣＤＺ１１１について説明を加える。図２は、本実施形態に係るＣＤＺ１１１に予め記録されている情報の一例を示す説明図である。図２に示すように、ＣＤＺ１１１には、本発明に係る「媒体容量を示す容量情報」の一例としての、データエリア１２の最終セクタアドレス１１１ａが記録されている。【００７８】
ここに、最終セクタアドレス１１１ａの値は、光ディスク１の物理的な大きさに比して小さい値であってもよい。具体的には例えば、２ＧＢに対応するセクタアドレス、３ＧＢに対応するセクタアドレス等であってもよい。【００７９】
尚、光ディスク１にコンテンツデータ等が記録された後のフォーマット構成が、再生専用の光ディスクと同様のフォーマット構成になるように、光ディスク１のリードインエリア１１には、例えばＲＰＦＩＺ等の光ディスク１に記録されたコンテンツデータ等の最後のセクタアドレスを記録する区画は設けられていない。【００８０】
（記録装置の構成）
次に、図３を参照して、本実施形態に係る記録装置の構成について説明する。図３は、本実施形態に係る記録装置の構成を示すブロック図である。【００８１】
図３において、例えばＤＶＤドライブを有するパーソナルコンピュータである記録装置２は、ドライブモジュール２１及びホストコンピュータ２２を備えて構成されている。【００８２】
ドライブモジュール２１は、ＣＰＵ（Ｃｅｎｔｒａｌ  Ｐｒｏｃｅｓｓｉｎｇ  Ｕｎｉｔ）２１１、メモリ２１２、データ入出力制御部２１３、スピンドルモータ２１４、光ピックアップ２１５及びサーボシステム２１６を備えて構成されている。ここに、本実施形態に係る「ＣＰＵ２１１」及び「光ピックアップ２１５」は、夫々、本発明に係る「記録手段」及び「読込手段」の一例である。【００８３】
ホストコンピュータ２２は、ＣＰＵ２２１、メモリ２２２、データ入出力制御部２２３、記憶部２２４、操作・表示制御部２２５、操作ボタン２２６及び表示パネル２２７を備えて構成されている。ここに、本実施形態に係る「ＣＰＵ２２１」は、本発明に係る「イメージデータ生成手段」、「演算手段」、「パディングデータ生成手段」、「パディングファイル生成手段」及び「予約手段」の一例である。【００８４】
（記録処理）
次に、以上のように構成された記録装置２を用いて、例えばインターネット等のネットワークを介して配信され、ホストコンピュータ２２におけるデータ入出力制御部２２３を介して、例えばハードディスクドライブである記憶部２２４に格納されたコンテンツデータを、光ディスク１に記録する場合における、記録装置２の動作について図４のタイミングチャートを参照して説明する。【００８５】
図４において、先ず、ユーザによって、ホストコンピュータ２２における操作ボタン２２６に含まれている記録又は録画を示すボタンが押された際に、或いは、リモコン等によって送信された記録又は録画を示す信号を受信した際に、ＣＰＵ２２１は、ドライブモジュール２１に対し、光ディスク１を検出することを示す信号を、データ入出力制御部２２３を介して送信する。【００８６】
ドライブモジュール２１におけるＣＰＵ２１１は、送信された信号に従って、光ディスク１を検出するように光ピックアップ２１５等を制御する（ステップＳ１０１）。光ディスク１が検出されなかった場合、ＣＰＵ２１１は、ホストコンピュータ２２に対し、光ディスク１が検出されなかったことを示す信号を、データ入出力制御部２１３を介して送信する。該送信された信号を受信したホストコンピュータ２２におけるＣＰＵ２２１は、典型的には、光ディスク１が検出されなかった旨を示すメッセージ等を表示パネル２２７に表示するように操作・表示制御部２２５を制御して、処理を終了する。【００８７】
光ディスク１が検出された場合、ドライブモジュール２１におけるＣＰＵ２１１は、光ディスク１に記録されている最終セクタアドレス１１１ａ及びディスクキーを読み取るように光ピックアップ２１５等を制御する。続いて、ＣＰＵ２１１は、ホストコンピュータ２２に対し、読み込まれた最終セクタアドレス１１１ａ及びディスクキーを、データ入出力制御部２１３を介して送信する（ステップＳ１０２）。【００８８】
ホストコンピュータ２２におけるＣＰＵ２２１は、タイトルキーを生成して、記憶部２２４に格納されているコンテンツデータをオーサリングすると共に、本発明に係る「管理情報」の一例としてのＡＶＤＰを生成する。（ステップＳ１０３）。尚、コンテンツデータはＣＳＳ方式により暗号化される。また、生成されたタイトルキーは、送信されたディスクキーによって暗号化される。【００８９】
続いて、ＣＰＵ２２１は、送信された最終セクタアドレス１１１ａに基づく光ディスク１の容量から、コンテンツデータの容量及びＡＶＤＰ等の所定のデータの容量を引いた容量（即ち、パディング容量）に相当する容量を有するパディングデータを生成する（ステップＳ１０４）。続いて、ＣＰＵ２２１は、生成されたＡＶＤＰを送信された最終セクタアドレス１１１ａに該当する位置に配置する（ステップＳ１０５）。【００９０】
上記ステップＳ１０３乃至ステップＳ１０５の処理によって、イメージデータが生成される。ここで、図５を参照して、生成されたイメージデータについて説明を加える。図５は、本実施形態に係るイメージデータのデータ構造を示す図式的概念図である。【００９１】
図５において、イメージデータ３０は、コンテンツデータを含んでなるコンテンツエリア３１と、パディングデータを含んでなるパディングエリア３２と、ＡＶＤＰ３３とを備えて構成されている。ここに、本実施形態に係る「コンテンツエリア３１」及び「パディングエリア３２」は、夫々、本発明に係る「コンテンツ領域」及び「パディング領域」の一例である。【００９２】
再び、図４に戻り、ホストコンピュータ２２におけるＣＰＵ２２１は、ドライブモジュール２１に対し、生成されたイメージデータ３０を、データ入出力制御部２２３を介して送信する（ステップＳ１０６）。尚、この際、生成されたイメージデータ３０は、１回に送信可能な、例えば２ＥＣＣブロックのデータに分割されて、順次ドライブモジュール２１に送信される。【００９３】
ドライブモジュール２１におけるＣＰＵ２１１は、送信されたイメージデータ３０を光ディスク１に記録するように、光ピックアップ２１５等を制御する（ステップＳ１０７）。この際に、ホストコンピュータ２２におけるＣＰＵ２２１は、ドライブモジュール２１に対し、定期的に記録終了を確認する信号を、データ入出力制御部２２３を介して送信する。ドライブモジュールにおけるＣＰＵ２１１は、送信されたイメージデータ３０の記録が終了し、ファイナライズが完了したことを条件に、ホストコンピュータ２２に対し、記録終了を示す信号を、データ入出力制御部２１３を介して送信する（ステップＳ１０８）。【００９４】
該送信された信号を受信したホストコンピュータ２２におけるＣＰＵ２２１は、例えば「Ｅｊｅｃｔ」等のメッセージを表示パネル２２７に表示するように操作・表示制御部２２５を制御すると共に、ドライブモジュール２１に対し、光ディスク１を取り出し可能なようにすることを示す信号を、データ入出力制御部２２３を介して送信する（ステップＳ１０９）。【００９５】
該送信された信号を受信したドライブモジュール２１におけるＣＰＵ２１１は、図示しないドライブトレイを開けるように、図示しない駆動装置を制御して、処理を終了する。【００９６】
本実施形態に係る記録装置２では、ＡＶＤＰ３３がＣＤＺ１１１に記録されている最終セクタアドレス１１１ａが示す、光ディスク１上のセクタに記録される。従って、再生専用の光ディスクと同様に、ＣＤＺ１１１に記録されている最終セクタアドレス１１１ａに従ってＡＶＤＰ３３を取得することができる。【００９７】
以上の結果、本実施形態に係る記録装置２によれば、記録された光ディスク１の汎用性を向上させると共に、所定の規格に準拠させることができる。【００９８】
＜第２実施形態＞
本発明の記録装置に係る第２実施形態を、図６を参照して説明する。第２実施形態では、生成されるパディングデータの容量が異なっている以外は、第１実施形態と同様である。よって、第２実施形態について、第１実施形態と重複する説明を省略すると共に、図面上における共通箇所には同一符号を付して示し、基本的に異なる点についてのみ、図６を参照して説明する。【００９９】
（記録処理）
本実施形態に係る記録装置の記録処理について図６のタイミングチャートを参照して説明する。【０１００】
図６において、ホストコンピュータ２２におけるＣＰＵ２２１によって、光ディスク１に記録されるコンテンツデータがオーサリングされると共に、ＡＶＤＰが生成されて（ステップＳ１０３）、イメージデータ３０が生成される。【０１０１】
該生成されたイメージデータ３０におけるパディングエリア３２は、該パディングエリア３２の開始セクタアドレス及び終了セクタアドレス、或いは、開始セクタアドレス及びパディングエリア３２の容量（即ち、パディング容量）は決定されているが、パディング容量に相当する容量を有するパディングデータは生成されていない。本実施形態では、光ディスク１にイメージデータ３０におけるパディングエリア３２を記録する際に、ホストコンピュータ２２からドライブモジュール２１へ、小容量パディングデータを生成して繰り返し送信することによって、パディングエリア３２を記録する。【０１０２】
ＣＰＵ２２１は、ドライブモジュール２１に対し、生成されたイメージデータ３０におけるコンテンツエリア３１に含まれるコンテンツデータを、データ入出力制御部２２３を介して送信する（ステップＳ２０１）。ドライブモジュール２１におけるＣＰＵ２１１は、送信されたコンテンツデータを光ディスク１に記録するように、光ピックアップ２１５等を制御する（ステップＳ２０２）。【０１０３】
送信されたコンテンツデータの記録が終了したことを条件に、ＣＰＵ２１１は、ホストコンピュータ２２に対し、コンテンツエリア３１の記録が終了したことを示す信号を、データ入出力制御部２１３を介して送信する（ステップＳ２０３）。【０１０４】
該送信された信号を受信したホストコンピュータ２２におけるＣＰＵ２２１は、典型的には、例えば２ＥＣＣブロック等、ホストコンピュータ２２及びドライブモジュール２１間において１回に送信可能なデータの容量に相当する容量を有する小容量パディングデータを生成する（ステップＳ２０４）。【０１０５】
続いて、ＣＰＵ２２１は、ドライブモジュール２１に対し、生成されたイメージデータ３０におけるパディングエリア３２を記録するように、生成された小容量パディングデータを、必要回数繰り返し、データ入出力制御部２２３を介して送信する（ステップＳ２０５）。ドライブモジュール２１におけるＣＰＵ２１１は、上述の如く、繰り返し送信される小容量パディングデータを記録するように、光ピックアップ２１５等を制御する（ステップＳ２０６）。【０１０６】
パディングエリア３２の記録が終了したことを条件に、ＣＰＵ２１１は、ホストコンピュータ２２に対し、パディングエリア３２の記録が終了したことを示す信号を、データ入出力制御部２１３を介して送信する（ステップＳ２０７）。【０１０７】
該送信された信号を受信したホストコンピュータ２２におけるＣＰＵ２２１は、ドライブモジュール２１に対し、生成されたＡＶＤＰを、データ入出力制御部２２３を介して送信する（ステップＳ２０８）。【０１０８】
ドライブモジュール２１におけるＣＰＵ２１１は、送信されたＡＶＤＰを、最終セクタアドレス１１１ａが示す光ディスク１上のセクタに記録するように、光ピックアップ２１５等を制御する（ステップＳ２０９）。【０１０９】
この際に、ホストコンピュータ２２におけるＣＰＵ２２１は、ドライブモジュール２１に対し、定期的に記録終了を確認するコマンドを、データ入出力制御部２２３を介して送信する。ドライブモジュールにおけるＣＰＵ２１１は、送信されたＡＶＤＰの記録が終了し、ファイナライズが完了したことを条件に、ホストコンピュータ２２に対し、記録終了を示す信号を、データ入出力制御部２１３を介して送信する（ステップＳ２１０）。【０１１０】
該送信された信号を受信したホストコンピュータ２２におけるＣＰＵ２２１は、所定のイジェクト動作に係る処理を実行して、処理を終了する（ステップＳ２１１）。【０１１１】
尚、本実施形態では、説明の便宜上、ステップＳ２０３におけるコンテンツエリア３１の記録終了を示す信号、及びステップＳ２０７におけるパディングエリア３２の記録終了を示す信号を明記しているが、典型的には、ホストコンピュータ２２から送信されるデータ（この場合には、生成されたイメージデータ３０が所定の容量に分割されたデータ）を記録する度に、ドライブモジュール２１は、ホストコンピュータ２２に対し、記録終了を示す信号を送信する。そして、ホストコンピュータ２２は、該送信された信号を受信したことを条件に、ドライブモジュール２１に対し、次のデータを送信する。【０１１２】
＜第３実施形態＞
本発明の記録装置に係る第３実施形態を、図７を参照して説明する。第３実施形態では、パディングデータをドライブモジュール２１が生成する以外は、第１実施形態と同様である。よって、第３実施形態について、第１実施形態と重複する説明を省略すると共に、図面上における共通箇所には同一符号を付して示し、基本的に異なる点についてのみ、図７を参照して説明する。【０１１３】
（記録処理）
本実施形態に係る記録装置の記録処理について図７のタイミングチャートを参照して説明する。【０１１４】
図７において、ホストコンピュータ２２におけるＣＰＵ２２１によって、光ディスク１に記録されるコンテンツデータがオーサリングされると共に、ＡＶＤＰが生成されて、イメージデータ３０が生成される（ステップＳ１０３）。尚、該生成されたイメージデータ３０におけるパディングエリア３２は、該パディングエリア３２の開始セクタアドレス及び終了セクタアドレス、或いは、開始セクタアドレス及びパディングエリア３２の容量（即ち、パディング容量）のみ決定され、パディングエリア３２に含まれるパディングデータは生成されない。【０１１５】
次に、ＣＰＵ２２１は、ドライブモジュール２１に対し、生成されたイメージデータ３０におけるコンテンツエリア３１に含まれるコンテンツデータを、データ入出力制御部２２３を介して送信する（ステップＳ３０１）。ドライブモジュール２１におけるＣＰＵ２１１は、送信されたコンテンツデータを光ディスク１に記録するように、光ピックアップ２１５等を制御する（ステップＳ３０２）。【０１１６】
送信されたコンテンツデータの記録が終了したことを条件に、ＣＰＵ２１１は、ホストコンピュータ２２に対し、コンテンツエリア３１の記録が終了したことを示す信号を、データ入出力制御部２１３を介して送信する（ステップＳ３０３）。【０１１７】
該送信された信号を受信したホストコンピュータ２２におけるＣＰＵ２２１は、ドライブモジュール２１に対し、パディングデータを記録することを示す信号を、データ入出力制御部２２３を介して送信する（ステップＳ３０４）。ここに、「パディングデータを記録することを示す信号」には、本発明に係る「位置情報」の一例としての記録を開始するセクタアドレス及び記録する容量が含まれている。【０１１８】
送信されたパディングデータを記録することを示す信号を受信したドライブモジュール２１におけるＣＰＵ２１１は、パディングデータを生成すると共に、該生成されたパディングデータを光ディスク１に記録するように、光ピックアップ２１５等を制御する（ステップＳ３０５）。パディングエリア３２の記録が終了したことを条件に、ＣＰＵ２１１は、ホストコンピュータ２２に対し、パディングエリア３２の記録が終了したことを示す信号を、データ入出力制御部２１３を介して送信する（ステップＳ３０６）。【０１１９】
該送信された信号を受信したホストコンピュータ２２におけるＣＰＵ２２１は、ドライブモジュール２１に対し、生成されたＡＶＤＰを、データ入出力制御部２２３を介して送信する（ステップＳ３０７）。ドライブモジュール２１におけるＣＰＵ２１１は、送信されたＡＶＤＰを、最終セクタアドレス１１１ａが示す光ディスク１上のセクタに記録するように、光ピックアップ２１５等を制御する（ステップＳ３０８）。【０１２０】
この際に、ホストコンピュータ２２におけるＣＰＵ２２１は、ドライブモジュール２１に対し、定期的に記録終了を確認する信号を、データ入出力制御部２２３を介して送信する。ドライブモジュールにおけるＣＰＵ２１１は、送信されたＡＶＤＰの記録が終了し、ファイナライズが完了したことを条件に、ホストコンピュータ２２に対し、記録終了を示す信号を、データ入出力制御部２１３を介して送信する（ステップＳ３０９）。該送信された信号を受信したホストコンピュータ２２におけるＣＰＵ２２１は、所定のイジェクト動作に係る処理を実行して、処理を終了する（ステップＳ３１０）。【０１２１】
＜第４実施形態＞
本発明の記録装置に係る第４実施形態を、図８及び図９を参照して説明する。第４実施形態では、パディングエリアに含まれるパディングデータがパディングファイルとして生成される以外は、第１実施形態と同様である。よって、第４実施形態について、第１実施形態と重複する説明を省略すると共に、図面上における共通箇所には同一符号を付して示し、基本的に異なる点についてのみ、図８及び図９を参照して説明する。【０１２２】
（記録処理）
本実施形態に係る記録装置の記録処理について図８のタイミングチャートを参照して説明する。【０１２３】
図８において、ホストコンピュータ２２におけるＣＰＵ２２１によって、光ディスク１に記録されるコンテンツデータがオーサリングされると共に、ＡＶＤＰが生成された後に（ステップＳ１０３）、ＣＰＵ２２１は、パディングエリアに含まれるパディングデータをパディングファイルとして生成する（ステップＳ４０１）。続いて、ＣＰＵ２２１は、生成されたＡＶＤＰを送信された最終セクタアドレス１１１ａに該当する位置に配置する（ステップＳ４０２）。【０１２４】
尚、パディングファイルは、パディング容量に相当する容量を有する一つのファイルであってもよいし、各容量の合計がパディング容量になるような複数のファイルであってもよい。【０１２５】
上記ステップＳ１０３乃至ステップＳ４０２の処理によって、イメージデータが生成される。ここで、図９を参照して、生成されたイメージデータについて説明を加える。図９は、本実施形態に係るイメージデータのファイル構造を示す図式的概念図である。【０１２６】
図９に示すように、イメージデータ４０では、ルートディレクトリ４０１の下に、コンテンツデータが格納されるＶＩＤＥＯ＿ＴＳディレクトリ４０２や、生成されたパディングファイル４０３ａが格納されるＰＡＤディレクトリ４０３等の複数のサブディレクトリが繋がっている。尚、パディングファイル４０３ａは、ルートディレクトリの直下に格納されてもよい。【０１２７】
再び、図８に戻り、ホストコンピュータ２２におけるＣＰＵ２２１は、ドライブモジュール２１に対し、生成されたイメージデータ４０を、データ入出力制御部２２３を介して送信する（ステップＳ４０３）。ドライブモジュール２１におけるＣＰＵ２１１は、送信されたイメージデータ４０を光ディスク１に記録するように、光ピックアップ２１５等を制御する（ステップＳ４０５）。【０１２８】
この際に、ホストコンピュータ２２におけるＣＰＵ２２１は、ドライブモジュール２１に対し、定期的に記録終了を確認する信号を、データ入出力制御部２２３を介して送信する。ドライブモジュールにおけるＣＰＵ２１１は、送信されたイメージデータ４０の記録が終了し、ファイナライズが完了したことを条件に、ホストコンピュータ２２に対し、記録終了を示す信号を、データ入出力制御部２１３を介して送信する（ステップＳ４０６）。該送信された信号を受信したホストコンピュータ２２におけるＣＰＵ２２１は、所定のイジェクト動作に係る処理を実行して、処理を終了する（ステップＳ４０７）。【０１２９】
＜第５実施形態＞
本発明の記録装置に係る第５実施形態を、図１０乃至図１２を参照して説明する。第５実施形態では、コンテンツデータ等がインクリメンタル記録を使用して光ディスクに記録される以外は、第１実施形態と同様である。よって、第５実施形態について、第１実施形態と重複する説明を省略すると共に、図面上における共通箇所には同一符号を付して示し、基本的に異なる点についてのみ、図１０乃至図１２を参照して説明する。【０１３０】
（記録処理）
本実施形態に係る記録装置の記録処理について図１０のタイミングチャートを参照して説明する。【０１３１】
図１０において、光ディスク１に記録されている最終セクタアドレス１１１ａ及びディスクキーを受信した、ホストコンピュータ２２におけるＣＰＵ２２１は、当該記録装置２を、インクリメンタル記録モードに設定する（ステップＳ５０１）。尚、該インクリメンタル記録モードの設定は、図１０におけるステップＳ１０１及びステップＳ１０２の処理と相前後して行われてもよい。【０１３２】
次に、ＣＰＵ２２１は、タイトルキーを生成してコンテンツデータをオーサリングすると共に、ＡＶＤＰを生成する（ステップＳ５０２）。続いて、ＣＰＵ２２１は、受信された最終セクタアドレス１１１ａに基づく光ディスク１の容量から所定容量だけ少ない容量を有するコンテンツエリアを予約する（ステップＳ５０３）。【０１３３】
ここで、図１１を参照して、予約されたコンテンツエリアについて説明を加える。図１１は、本実施形態に係る予約されたコンテンツエリアを示す図式的概念図である。図１１に示すように、予約されたコンテンツエリア５１の容量は、光ディスク１のデータエリア１２の容量よりも所定容量５２だけ少ない。ここに、所定容量５２は、ＡＶＤＰの容量及びリンクブロックの容量の合計であるが、ゼロリンク方式である場合にはＡＶＤＰの容量に等しい。【０１３４】
再び、図１０に戻り、ホストコンピュータ２２におけるＣＰＵ２２１は、ドライブモジュール２１に対し、コンテンツデータを、データ入出力制御部２２３を介して送信する（ステップＳ５０４）。次に、ドライブモジュール２１におけるＣＰＵ２１１は、送信されたコンテンツデータを光ディスク１に記録するように、光ピックアップ２１５等を制御する（ステップＳ５０５）。【０１３５】
次に、送信されたコンテンツデータの記録が終了したことを条件に、ＣＰＵ２１１は、ホストコンピュータ２２に対し、記録終了を示す信号を、データ入出力制御部２１３を介して送信する（ステップＳ５０６）。該送信された信号を受信したホストコンピュータ２２におけるＣＰＵ２２１は、ドライブモジュール２１に対し、予約されたコンテンツエリア５１をクローズ処理することを示す信号を送信する（ステップＳ５０７）。【０１３６】
ここで、図１２を参照して、コンテンツデータの記録が終了した際における予約されたコンテンツエリアについて説明を加える。図１２は、本実施形態に係るコンテンツデータ記録終了後の予約されたコンテンツエリアを示す図式的概念図である。【０１３７】
図１２に示すように、予約されたコンテンツエリア５１には、コンテンツデータが記録さている部分５１ａ及び何も記録されていない部分５１ｂが存在している。この場合に、ドライブモジュール２１が、ホストコンピュータ２２から送信されたクローズ処理すること示す信号を受信すると、ドライブモジュール２１におけるＣＰＵ２１１は、パディングデータを生成すると共に、何も記録されていない部分５１ｂに生成されたパディングデータを記録するように光ピックアップ２１５等を制御する（ステップＳ５０８）。【０１３８】
再び、図１０に戻り、クローズ処理が終了したことを条件に、即ち、パディングデータの記録が終了したことを条件に、ＣＰＵ２１１は、ホストコンピュータ２２に対し、クローズ処理が終了したことを示す信号を、データ入出力制御部２１３を介して送信する（ステップＳ５０９）。【０１３９】
該送信された信号を受信したホストコンピュータ２２におけるＣＰＵ２２１は、ドライブモジュール２１に対し、生成されたＡＶＤＰを、データ入出力制御部２２３を介して送信する（ステップＳ５１０）。ゼロリンク方式である場合、ドライブモジュール２１におけるＣＰＵ２１１は、送信されたＡＶＤＰを予約されたコンテンツエリア５１の直後、即ち、最終セクタアドレスが示す光ディスク１上のセクタに記録するように、光ピックアップ２１５等を制御する（ステップＳ５１１）。【０１４０】
或いは、２ｋリンク方式や３２ｋリンク方式等のゼロリンク方式以外のリンク方式である場合、ＣＰＵ２１１は、予約されたコンテンツエリア５１の後に所定のリンクブロックを挿入して、送信されたＡＶＤＰを光ディスク１に記録するように、光ピックアップ２１５等を制御する。この場合も、送信されたＡＶＤＰは、最終セクタアドレスの示す光ディスク１上のセクタに記録される。【０１４１】
この際に、ホストコンピュータ２２におけるＣＰＵ２２１は、ドライブモジュール２１に対し、定期的に記録終了を確認する信号を、データ入出力制御部２２３を介して送信する。ドライブモジュールにおけるＣＰＵ２１１は、送信されたＡＶＤＰの記録が終了し、ファイナライズが完了したことを条件に、ホストコンピュータ２２に対し、記録終了を示す信号を、データ入出力制御部２１３を介して送信する（ステップＳ５１２）。該送信された信号を受信したホストコンピュータ２２におけるＣＰＵ２２１は、所定のイジェクト動作に係る処理を実行して、処理を終了する（ステップＳ５１３）。【０１４２】
＜コンテンツ配信システム＞
次に、本発明のコンテンツ配信システムに係る実施形態を、図１３乃至図１５を参照して説明する。【０１４３】
（コンテンツ配信システムの構成）
先ず、図１３を参照して本実施形態に係るコンテンツ配信システムの構成について説明する。図１３は、本実施形態に係るコンテンツ配信システムの構成を示す模式図である。【０１４４】
図１３において、コンテンツ配信システム１０００は、記録装置２及びサーバ装置３を備えて構成されている。記録装置２及びサーバ装置３は、例えばインターネット等であるネットワーク４を介して相互に接続されている。【０１４５】
ここで、図１４を参照して、サーバ装置３について説明を加える。図１４は、本実施形態に係るサーバ装置３の構成を示すブロック図である。【０１４６】
図１４において、サーバ装置３は、ＣＰＵ３０１、例えばハードディスクドライブ等である記憶部３０２及び送受信部３０３を備えて構成されている。記憶部３０２ａには、一又は複数のコンテンツデータ３０２ａが格納されている。【０１４７】
尚、記録装置２の構成は、図３に示した記録装置の構成と同様であるので説明を省略する。また、記録装置２にセットされる、本発明に係る「情報記録媒体」の一例としての光ディスクの構造は、図１及び図２に示した光ディスクの構造と同様であるので説明を省略する。【０１４８】
（コンテンツ配信システムの動作）
次に、以上のように構成されたコンテンツ配信システム１０００を用いてコンテンツデータを光ディスク１に記録する場合における、コンテンツ配信システムの動作について図１５のタイミングチャートを参照して説明する。【０１４９】
図１５において、先ず、例えばサーバ装置３が提供するメニュー画面等を参照して、ユーザが光ディスク１に記録するコンテンツデータを選択した際に、ホストコンピュータ２２におけるＣＰＵ２２１は、ドライブモジュール２１に対し、光ディスク１を検出することを示す信号を、データ入出力制御部２２３を介して送信する。【０１５０】
ドライブモジュール２１におけるＣＰＵ２１１は、送信された信号に従って、光ディスク１を検出するように光ピックアップ２１５等を制御する（ステップＳ６０１）。光ディスク１が検出されなかった場合、ＣＰＵ２１１は、ホストコンピュータ２２に対し、光ディスク１が検出されなかったことを示す信号を、データ入出力制御部２１３を介して送信する。該送信された信号を受信したホストコンピュータ２２におけるＣＰＵ２２１は、典型的には、光ディスク１をセットすることを促すメッセージ等を表示パネル２２７に表示するように操作・表示制御部２２５を制御する。【０１５１】
光ディスク１が検出された場合、ドライブモジュール２１におけるＣＰＵ２１１は、光ディスク１に記録されている最終セクタアドレス１１１ａ及びディスクキーを読み取るように光ピックアップ２１５等を制御する。続いて、ＣＰＵ２１１は、ホストコンピュータ２２に対し、読み込まれた最終セクタアドレス１１１ａ及びディスクキーを、データ入出力制御部２１３を介して送信する（ステップＳ６０２）。【０１５２】
ホストコンピュータ２２におけるＣＰＵ２２１は、サーバ装置３に対し、送信された最終セクタアドレス１１１ａ及びディスクキーを、データ入出力制御部２２３を介して送信する（ステップＳ６０３）。【０１５３】
サーバ装置３におけるＣＰＵ３０１は、タイトルキーを生成して、記憶部３０２に格納されているコンテンツデータ３０２ａのうちユーザによって選択されたコンテンツデータをオーサリングすると共に、ＡＶＤＰを生成する。（ステップＳ６０４）。【０１５４】
続いて、ＣＰＵ３０１は、送信された最終セクタアドレス１１１ａに基づく光ディスク１の容量から、コンテンツデータの容量及びＡＶＤＰ等の所定のデータの容量を引いた容量（即ち、パディング容量）に相当する容量を有するパディングデータを生成する（ステップＳ６０５）。続いて、ＣＰＵ３０１は、生成されたＡＶＤＰを送信された最終セクタアドレス１１１ａに該当する位置に配置する（ステップＳ６０６）。これらステップＳ６０４乃至ステップＳ６０６の処理によって、イメージデータが生成される。【０１５５】
次に、ＣＰＵ３０１は、記録装置２におけるホストコンピュータ２２に対し、生成されたイメージデータを、送受信部３０３を介して配信する（ステップＳ６０７）。続いて、ホストコンピュータ２２におけるＣＰＵ２２１は、ドライブモジュール２１に対し、配信されたイメージデータを、データ入出力制御部２２３を介して送信する（ステップＳ６０８）。【０１５６】
ドライブモジュール２１におけるＣＰＵ２１１は、送信されたイメージデータを光ディスク１に記録するように、光ピックアップ２１５等を制御する（ステップＳ６０９）。この際に、ホストコンピュータ２２におけるＣＰＵ２２１は、ドライブモジュール２１に対し、定期的に記録終了を確認する信号を、データ入出力制御部２２３を介して送信する。ドライブモジュールにおけるＣＰＵ２１１は、送信されたイメージデータの記録が終了し、ファイナライズが完了したことを条件に、ホストコンピュータ２２に対し、記録終了を示す信号を、データ入出力制御部２１３を介して送信する（ステップＳ６１０）。【０１５７】
該送信された信号を受信したホストコンピュータ２２におけるＣＰＵ２２１は、所定のイジェクト動作に係る処理を実行して、処理を終了する（ステップＳ６１１）。【０１５８】
本実施形態に係るコンテンツ配信システム１０００では、ＡＶＤＰがＣＤＺ１１１に記録されている最終セクタアドレス１１１ａが示す、光ディスク１上のセクタに記録される。従って、再生専用の光ディスクと同様に、ＣＤＺ１１１に記録されている最終セクタアドレス１１１ａに従ってＡＶＤＰを取得することができる。【０１５９】
以上の結果、本実施形態に係るコンテンツ配信システム１０００によれば、記録された光ディスク１の汎用性を向上させると共に、所定の規格に準拠させることができる。【０１６０】
尚、本発明は、上述した実施形態に限られるものではなく、請求の範囲及び明細書全体から読み取れる発明の要旨、或いは思想に反しない範囲で適宜変更可能であり、そのような変更を伴う記録装置及び方法、並びにコンテンツ配信システムもまた、本発明の技術的範囲に含まれるものである。
【図１】
2008152734.tif 000003
【図２】
2008152734.tif 000004
【図３】
2008152734.tif 000005
【図４】
2008152734.tif 000006
【図５】
2008152734.tif 000007
【図６】
2008152734.tif 000008
【図７】
2008152734.tif 000009
【図８】
2008152734.tif 000010
【図９】
2008152734.tif 000011
【図１０】
2008152734.tif 000012
【図１１】
2008152734.tif 000013
【図１２】
2008152734.tif 000014
【図１３】
2008152734.tif 000015
【図１４】
2008152734.tif 000016
【図１５】
2008152734.tif 000017
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
記録可能な情報記録媒体にコンテンツデータを記録する記録装置であって、
前記情報記録媒体に予め記録されている前記情報記録媒体の容量である媒体容量を示す容量情報を読み込む読込手段と、
前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成手段と、
前記生成されたイメージデータを前記情報記録媒体に記録する記録手段と
を備え、
前記情報記録媒体は、前記記録されたイメージデータのデータ容量を記録するためのＲＰＦＩＺを有しない
ことを特徴とする記録装置。
【請求項２】
前記記録手段は、更に、当該情報記録媒体における、前記読み込まれた容量情報により示される前記媒体容量の値に相当する位置に、前記記録されるコンテンツデータを管理するための情報である管理情報を記録することを特徴とする請求の範囲第１項に記載の記録装置。
【請求項３】
前記イメージデータ生成手段は、前記読み込まれた容量情報により示される前記媒体容量、及び前記記録されるコンテンツデータの容量であるコンテンツ容量から前記パディング領域の容量であるパディング容量を算出する演算手段を含むことを特徴とする請求の範囲第１項に記載の記録装置。
【請求項４】
前記イメージデータ生成手段は、前記算出されたパディング容量に相当する容量を有するパディングデータを生成するパディングデータ生成手段を含むことを特徴とする請求の範囲第３項に記載の記録装置。
【請求項５】
前記イメージデータ生成手段は、
前記算出されたパディング容量に比して小さい容量のパディングデータである小容量パディングデータを生成するパディングデータ生成手段を含み、
前記生成された小容量パディングデータを、前記算出されたパディング容量に達するまで繰り返し使用する
ことを特徴とする請求の範囲第３項に記載の記録装置。
【請求項６】
前記イメージデータ生成手段は、前記記録手段に対し、前記パディング領域の位置を示す位置情報を送信し、
前記記録手段は、前記パディング領域に含まれるパディングデータを生成すると共に、前記送信された位置情報に従って、前記生成されたパディングデータを前記情報記録媒体に記録する
ことを特徴とする請求の範囲第１項に記載の記録装置。
【請求項７】
前記イメージデータ生成手段は、前記パディング領域に含まれるパディングデータを所定のファイルとして生成するパディングファイル生成手段を含むことを特徴とする請求の範囲第１項に記載の記録装置。
【請求項８】
前記読み込まれた容量情報により示される前記媒体容量が、前記情報記録媒体の物理的な大きさに比して小さいことを特徴とする請求の範囲第１項に記載の記録装置。
【請求項９】
記録可能な情報記録媒体にコンテンツデータを記録する記録装置であって、
前記情報記録媒体に予め記録されている前記情報記録媒体の容量である媒体容量を示す容量情報を読み込む読込手段と、
前記読み込まれた容量情報により示される前記媒体容量より所定容量少ないコンテンツ領域を予約する予約手段と、
前記予約されたコンテンツ領域に前記情報記録媒体に記録されるコンテンツデータを記録すると共に、前記予約されたコンテンツ領域を補填するようにパディングデータを記録する記録手段と
を備え、
前記情報記録媒体は、前記記録されたコンテンツデータの容量及び前記記録されたパディングデータの容量を合わせた合計データ容量を記録するためのＲＰＦＩＺを有しない
ことを特徴とする記録装置。
【請求項１０】
ネットワークに収容されるサーバ装置及び記録装置、並びに該記録装置にセット可能であると共に記録可能な情報記録媒体を備えるコンテンツ配信システムであって、
前記情報記録媒体には、該情報記録媒体の容量である媒体容量を示す容量情報が記録されており、
前記記録装置は、前記情報記録媒体がセットされると、前記記録されている容量情報を前記サーバ装置に送信し、
前記サーバ装置は、前記情報記録媒体に記録されるコンテンツデータを含んでなるコンテンツ領域、及び前記送信された容量情報により示される前記媒体容量に達するように補填されるパディングデータを含んでなるパディング領域を有するイメージデータを生成して、前記記録装置に配信し、
前記記録装置は、前記配信されたイメージデータを前記情報記録媒体に記録し、
前記情報記録媒体は、前記記録されたイメージデータのデータ容量を記録するためのＲＰＦＩＺを有しない
ことを特徴とするコンテンツ配信システム。
【請求項１１】
記録可能な情報記録媒体にコンテンツデータを記録する記録方法であって、
前記情報記録媒体に予め記録されている前記情報記録媒体の容量である媒体容量を示す容量情報を読み込む読込工程と、
前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成工程と、
前記生成されたイメージデータを前記情報記録媒体に記録する記録工程と
を備え、
前記情報記録媒体は、前記記録されたイメージデータのデータ容量を記録するためのＲＰＦＩＺを有しない
ことを特徴とする記録方法。
【請求項１２】
記録可能な情報記録媒体にコンテンツデータを記録する記録方法であって、
前記情報記録媒体に予め記録されている前記情報記録媒体の容量である媒体容量を示す容量情報を読み込む読込工程と、
前記読み込まれた容量情報により示される前記媒体容量より所定容量少ないコンテンツ領域を予約する予約工程と、
前記予約されたコンテンツ領域に前記情報記録媒体に記録されるコンテンツデータを記録すると共に、前記予約されたコンテンツ領域を補填するようにパディングデータを記録する記録工程と
を備え、
前記情報記録媒体は、前記記録されたコンテンツデータの容量及び前記記録されたパディングデータの容量を合わせた合計データ容量を記録するためのＲＰＦＩＺを有しない
ことを特徴とする記録方法。
【請求項１３】
前記情報記録媒体は、前記容量情報が予め記録されているＣＤＺ（Ｃｏｎｔｒｏｌ  Ｄａｔａ  Ｚｏｎｅ）を有するＤＶＤ−Ｒ（ＤＶＤ−Ｒｅｃｏｒｄａｂｌｅ）であることを特徴とする請求の範囲第１項に記載の記録装置。
【請求項１４】
前記記録されるコンテンツデータは、ＣＳＳ方式により暗号化されていることを特徴とする請求の範囲第１項に記載の記録装置。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
記録可能な情報記録媒体にコンテンツデータを記録する記録装置であって、
前記情報記録媒体に予め記録されている前記情報記録媒体の容量である媒体容量を示す容量情報を読み込む読込手段と、
前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成手段と、
前記生成されたイメージデータを前記情報記録媒体に記録する記録手段と
を備え、
前記情報記録媒体は、前記記録されたイメージデータのデータ容量を記録するためのＲＰＦＩＺを有しない
ことを特徴とする記録装置。
【請求項２】
前記記録手段は、更に、当該情報記録媒体における、前記読み込まれた容量情報により示される前記媒体容量の値に相当する位置に、前記記録されるコンテンツデータを管理するための情報である管理情報を記録することを特徴とする請求項１に記載の記録装置。
【請求項３】
前記イメージデータ生成手段は、前記読み込まれた容量情報により示される前記媒体容量、及び前記記録されるコンテンツデータの容量であるコンテンツ容量から前記パディング領域の容量であるパディング容量を算出する演算手段を含むことを特徴とする請求項１に記載の記録装置。
【請求項４】
前記イメージデータ生成手段は、前記算出されたパディング容量に相当する容量を有するパディングデータを生成するパディングデータ生成手段を含むことを特徴とする請求項３に記載の記録装置。
【請求項５】
前記イメージデータ生成手段は、
前記算出されたパディング容量に比して小さい容量のパディングデータである小容量パディングデータを生成するパディングデータ生成手段を含み、
前記生成された小容量パディングデータを、前記算出されたパディング容量に達するまで繰り返し使用する
ことを特徴とする請求項３に記載の記録装置。
【請求項６】
前記イメージデータ生成手段は、前記記録手段に対し、前記パディング領域の位置を示す位置情報を送信し、
前記記録手段は、前記パディング領域に含まれるパディングデータを生成すると共に、前記送信された位置情報に従って、前記生成されたパディングデータを前記情報記録媒体に記録する
ことを特徴とする請求項１に記載の記録装置。
【請求項７】
前記イメージデータ生成手段は、前記パディング領域に含まれるパディングデータを所定のファイルとして生成するパディングファイル生成手段を含むことを特徴とする請求項１に記載の記録装置。
【請求項８】
前記読み込まれた容量情報により示される前記媒体容量が、前記情報記録媒体の物理的な大きさに比して小さいことを特徴とする請求項１に記載の記録装置。
【請求項９】
記録可能な情報記録媒体にコンテンツデータを記録する記録装置であって、
前記情報記録媒体に予め記録されている前記情報記録媒体の容量である媒体容量を示す容量情報を読み込む読込手段と、
前記読み込まれた容量情報により示される前記媒体容量より所定容量少ないコンテンツ領域を予約する予約手段と、
前記予約されたコンテンツ領域に前記情報記録媒体に記録されるコンテンツデータを記録すると共に、前記予約されたコンテンツ領域を補填するようにパディングデータを記録する記録手段と
を備え、
前記情報記録媒体は、前記記録されたコンテンツデータの容量及び前記記録されたパディングデータの容量を合わせた合計データ容量を記録するためのＲＰＦＩＺを有しない
ことを特徴とする記録装置。
【請求項１０】
ネットワークに収容されるサーバ装置及び記録装置、並びに該記録装置にセット可能であると共に記録可能な情報記録媒体を備えるコンテンツ配信システムであって、
前記情報記録媒体には、該情報記録媒体の容量である媒体容量を示す容量情報が記録されており、
前記記録装置は、前記情報記録媒体がセットされると、前記記録されている容量情報を前記サーバ装置に送信し、
前記サーバ装置は、前記情報記録媒体に記録されるコンテンツデータを含んでなるコンテンツ領域、及び前記送信された容量情報により示される前記媒体容量に達するように補填されるパディングデータを含んでなるパディング領域を有するイメージデータを生成して、前記記録装置に配信し、
前記記録装置は、前記配信されたイメージデータを前記情報記録媒体に記録し、
前記情報記録媒体は、前記記録されたイメージデータのデータ容量を記録するためのＲＰＦＩＺを有しない
ことを特徴とするコンテンツ配信システム。
【請求項１１】
記録可能な情報記録媒体にコンテンツデータを記録する記録方法であって、
前記情報記録媒体に予め記録されている前記情報記録媒体の容量である媒体容量を示す容量情報を読み込む読込工程と、
前記情報記録媒体に記録されるコンテンツデータを含んでなるコンテンツ領域、及び前記読み込まれた容量情報により示される前記媒体容量に達するように補填されるパディングデータを含んでなるパディング領域を有するイメージデータを生成するイメージデータ生成工程と、
前記生成されたイメージデータを前記情報記録媒体に記録する記録工程と
を備え、
前記情報記録媒体は、前記記録されたイメージデータのデータ容量を記録するためのＲＰＦＩＺを有しない
ことを特徴とする記録方法。
【請求項１２】
記録可能な情報記録媒体にコンテンツデータを記録する記録方法であって、
前記情報記録媒体に予め記録されている前記情報記録媒体の容量である媒体容量を示す容量情報を読み込む読込工程と、
前記読み込まれた容量情報により示される前記媒体容量より所定容量少ないコンテンツ領域を予約する予約工程と、
前記予約されたコンテンツ領域に前記情報記録媒体に記録されるコンテンツデータを記録すると共に、前記予約されたコンテンツ領域を補填するようにパディングデータを記録する記録工程と
を備え、
前記情報記録媒体は、前記記録されたコンテンツデータの容量及び前記記録されたパディングデータの容量を合わせた合計データ容量を記録するためのＲＰＦＩＺを有しない
ことを特徴とする記録方法。
【請求項１３】
前記情報記録媒体は、前記容量情報が予め記録されているＣＤＺを有するＤＶＤ−Ｒであることを特徴とする請求項１に記載の記録装置。
【請求項１４】
前記記録されるコンテンツデータは、ＣＳＳ方式により暗号化されていることを特徴とする請求項１に記載の記録装置。
【国際調査報告】
2008152734.tif 000018
2008152734.tif 000019